(57)【特許請求の範囲】
【請求項１】
コード化されたデジタル信号を扱う電子装置に使用され、前記デジタル信号のレベルを下げてミュートを行うミュート回路において、
前記デジタル信号のコードの範囲を通常動作時よりも広くしておき、前記ミュートを行う際に、前記デジタル信号のコードを電源のオフ時の電圧レベルより下のコードまで下げるようにしたことを特徴とするミュート回路。
【請求項２】
入力されるデジタル信号に係数を乗算し、前記係数を徐々にゼロにすることによりミュートを行うゲインミュート回路と、
このゲインミュート回路からの出力を入力し、前記ゼロが乗算されたデジタル信号のレベルを電源のオフ時の電圧レベルよりも下のレベルまで減算してミュートを行うレベルミュート回路と、を備えたことを特徴とするミュート回路。
【請求項３】
前記ゲインミュート回路と前記レベルミュート回路との間に、前記デジタル信号のサンプリング周波数を高くして前記デジタル信号を補完するインタポレーションフィルタを備えたことを特徴とする請求項２に記載のミュート回路。
【請求項４】
コード化されたデジタル信号の処理を行うデジタル部と、このデジタル部で処理されたデジタル信号をアナログ信号に変換するアナログ部とを備えた電子装置であって、
前記デジタル部は、前記デジタル信号のコードを前記電子装置の電源のオフ時の電圧レベルより下のコードまで下げてミュートを行うデジタルミュート回路を含み、
前記アナログ部は、アナログ部の出力端子を前記電源のオフ時の電圧レベルに固定するミュートを行うアナログミュート回路を含み、
かつ、ミュートを行う際に、前記デジタルミュート回路のミュート動作をさせ、この動作の終了後に前記アナログミュート回路のミュート動作をさせるミュート制御部を備えていることを特徴とする電子装置。
【請求項５】
コード化されたデジタル信号の処理を行うデジタル部と、このデジタル部で処理されたデジタル信号をアナログ信号に変換するアナログ部とを備えた電子装置であって、
前記デジタル部は、入力されるデジタル信号に係数を乗算して前記係数を徐々にゼロにすることによりミュートを行うゲインミュート回路と、このゲインミュート回路からの出力を入力し、前記ゼロが乗算されたデジタル信号のレベルを電源のオフ時の電圧レベルより下のレベルまで徐々に下げることによりミュートを行うレベルミュート回路とを含み、
前記アナログ部は、アナログ部の出力端子を前記電源のオフ時の電圧レベルに固定するミュートを行うアナログミュート回路を含み、
かつ、ミュート動作の際に、前記ゲインミュート回路、前記レベルミュート回路、前記アナログミュート回路の順で各ミュート動作を行わせ、その後に前記アナログ部への電源をオフにさせるミュート制御部を備えていることを特徴とする電子装置。
【請求項６】
前記デジタル部は、前記ゲインミュート回路と前記レベルミュート回路との間に、前記デジタル信号のサンプリング周波数を高くして前記デジタル信号を補完するインタポレーションフィルタを備えていることを特徴とする請求項５に記載の電子装置。
【請求項７】
コード化されたデジタル信号の処理を行うデジタル部と、このデジタル部で処理されたデジタル信号をアナログ信号に変換するアナログ部とを備えた電子装置に入力されるデジタル信号のミュートを行う電子装置のミュート方法であって、
ミュート動作の際には、前記デジタル部に入力されるデジタル信号に係数を乗算して前記係数を徐々にゼロにすることによりゲインミュートを行うステップと、ゲインミュートされたデジタル信号のレベルを前記電子装置の電源のオフ時の電圧レベルより下のレベルまで徐々に下げるステップと、前記アナログ部の出力端子を前記電源のオフ時の電圧レベルに固定するアナログミュートを行うステップと、前記アナログ部の電源をオフにするステップとからなり、
ミュート動作を解除する際には、前記アナログ部の電源をオンにするステップと、前記アナログ部の出力端子を前記固定の電圧レベルから解除するステップと、デジタル信号のレベルを徐々に上げてレベルミュートを解除するステップと、デジタル信号に乗算する係数を徐々に上げてゲインミュートを解除するステップと、からなることを特徴とする電子装置のミュート方法。
【発明の詳細な説明】
【０００１】
【発明の属する技術分野】
本発明は、ミュート回路に関し、特にデジタル装置のミュート回路、さらにはデジタル部とアナログ部とが混在した電子装置に適用されるミュート回路に関するものである。そして、本発明は、好適には、デジタル信号をアナログ信号に変換するオーバーサンプリング型Ｄ／Ａ変換器に適用されるミュート回路に関するものである。
【０００２】
【従来の技術】
近年、オーディオ用Ｄ／Ａ変換器は、線形性の良さ、波形の滑らかさ、高ＳＮ比のために、オーバーサンプリング技術を用いたＤ／Ａ変換器が主流となっている。
このオーバーサンプリングＤ／Ａ変換器は、例えば入力された１６ビットのデジタル信号を、デジタルフィルタやサンプル・ホールド回路でサンプリング周波数を８倍や６４倍に高くし、このデジタル信号を、デジタル・デルタ・シグマ（ΔΣ）変調回路でノイズシェーピングして量子化ノイズを高域においやり、１ビットや数ビットの信号に変換し、この信号をアナログ信号に変換したのち、アナログ信号に含まれる高域のノイズをアナログローパスフィルタでカットするものである。
【０００３】
従来、このようなオーバーサンプリングＤ／Ａ変換器のミュートを行う場合には、例えば出力端子をアナロググランド端子にスイッチ等で接続するもの、デジタル信号にゼロを乗算して信号を減衰させるもの、あるいはアップダウンカウンタを用いて信号のレベルを減衰させるもの等が知られている。
【０００４】
【発明が解決しようとする課題】
ところで、上記のようなＤ／Ａ変換器を電池で駆動させる場合において、長時間にわたって使用するためには、消費電力を低減する必要がある。この消費電力を低減するためには、ブロック毎に電源から電力を供給し、不要ブロックには電力を供給しないようにする場合や電力を消費しない状態（パワーダウンモード）にする場合がある。
【０００５】
前者の場合に、いきなり電源からの電力の供給を止めると、信号の状態が急激に変化するため、クリック音（ボツという異常音）が発生する。
また、例えば、Ｄ／Ａ変換器の出力端子を所定のレベルに固定しても、前者の電力供給カットや後者のパワーダウンモードの状態になると、出力端子のレベルをコントロールできなくなり、電圧が変動してしまうことになり、クリック音を解消できないという不都合がある。
【０００６】
また、Ｄ／Ａ変換器に０Ｖになるデジタルコードが入力されても数ｍＶの電圧が出力されている場合があり、これにより電源オフやパワーダウンモードにするとクリック音が発生する不都合がある。
さらに、入力信号が変動している状態でレベルを低下させても、入力信号が急激な変動を生ずることがあり、この場合には、同様にクリック音が発生するという不都合がある。
【０００７】
そこで、本発明の目的は、電源をオフにしてもクリック音が発生しないようにしたミュート回路や電子装置を提供することにある。
また、本発明の他の目的は、入力信号が変動していてもクリック音やノイズが発生しないミュート回路や電子装置を提供することにある。
さらに、本発明の他の目的は、信号レベルを下げる際に滑らかに変化させ、ノイズの発生を抑制できるミュート回路や電子装置を提供することにある。
【０００８】
【課題を解決するための手段】
上記課題を解決し、本発明の目的を達成するために、請求項１から請求項７に記載の各発明は以下のように構成した。
請求項１に記載の発明は、コード化されたデジタル信号を扱う電子装置に使用され、前記デジタル信号のレベルを下げてミュートを行うミュート回路において、前記デジタル信号のコードの範囲を通常動作時よりも広くしておき、前記ミュートを行う際に、前記デジタル信号のコードを電源のオフ時の電圧レベルより下のコードまで下げるようにしたことを特徴とするものである。
【０００９】
このように請求項１に記載の発明では、通常の動作時に、例えば０．６Ｖを中心に±０．５Ｖに相当するデジタル信号を出力するようにしておく。一方、ミュート時には、そのデジタル信号のレベルを例えば０Ｖ以下というように通常動作時よりも大きくする。このため、ミュート時に出力を接地電位に固定できるので、ミュート時に電源をオフにしてもクリック音の発生を防止できる上に、入力信号が変動してもその変動に伴なうクリック音やノイズの発生を防止できる。
【００１０】
また、請求項２に記載の発明は、入力されるデジタル信号に係数を乗算し、前記係数を徐々にゼロにすることによりミュートを行うゲインミュート回路と、このゲインミュート回路からの出力を入力し、前記ゼロが乗算されたデジタル信号のレベルを電源のオフ時の電圧レベルよりも下のレベルまで減算してミュートを行うレベルミュート回路と、を備えたことを特徴とするものである。
【００１１】
このように請求項２に記載の発明では、ゲインミュート回路が、入力されるデジタル信号に係数を乗算してその係数を徐々にゼロにすることによりミュートを行う。また、レベルミュート回路は、ゲインミュート回路からの出力を入力し、ゼロが乗算されたデジタル信号のレベルを電源のオフ時の電圧レベルよりも下のレベルまで減算してミュートを行う。
【００１２】
このため、この発明をＤ／Ａ変換器などに適用した場合には、ミュート時に出力を接地電位またはそれ以下に固定できるので、ミュート時に電源をオフにしてもクリック音の発生を防止できる上に、入力信号が変動してもその変動に伴うクリック音やノイズの発生を防止できる。
さらに、請求項３に記載の発明は、請求項２に記載のミュート回路において、前記ゲインミュート回路と前記レベルミュート回路との間に、前記デジタル信号のサンプリング周波数を高くして前記デジタル信号を補完するインタポレーションフィルタを備えたことを特徴とするものである。
【００１３】
このように請求項３に記載の発明では、ゲインミュート回路とレベルミュート回路との間に、インタポレーションフィルタを備え、サンプリングレートを上げてから、レベルミュート回路で出力レベルを変化させるようにしている。このため、デジタル信号のステップ幅が小さくなり、信号レベルを徐々に下げる際に、滑らかに変化してノイズの発生を抑制できる。
【００１４】
また、請求項４に記載の発明は、コード化されたデジタル信号の処理を行うデジタル部と、このデジタル部で処理されたデジタル信号をアナログ信号に変換するアナログ部とを備えた電子装置であって、前記デジタル部は、前記デジタル信号のコードを前記電子装置の電源のオフ時の電圧レベルより下のコードまで下げてミュートを行うデジタルミュート回路を含み、前記アナログ部は、アナログ部の出力端子を前記電源のオフ時の電圧レベルに固定するミュートを行うアナログミュート回路を含み、かつ、ミュートを行う際に、前記デジタルミュート回路のミュート動作をさせ、この動作の終了後に前記アナログミュート回路のミュート動作をさせるミュート制御部を備えていることを特徴とするものである。
【００１５】
このように請求項４に記載の発明では、デジタルミュート回路が、デジタル信号のコードを電子装置の電源のオフ時の電圧レベルより下のコードまで下げてミュートを行い、アナログミュート回路が、アナログ部の出力端子を前記電源のオフ時の電圧レベルに固定するミュートを行う。このため、ミュート状態で電源をオフしてもクリック音の発生を確実に防止できる上に、入力信号が変動してもその変動に伴うクリック音やノイズの発生を防止できる。
【００１６】
さらに、請求項５に記載の発明は、コード化されたデジタル信号の処理を行うデジタル部と、このデジタル部で処理されたデジタル信号をアナログ信号に変換するアナログ部とを備えた電子装置であって、前記デジタル部は、入力されるデジタル信号に係数を乗算して前記係数を徐々にゼロにすることによりミュートを行うゲインミュート回路と、このゲインミュート回路からの出力を入力し、前記ゼロが乗算されたデジタル信号のレベルを電源のオフ時の電圧レベルより下のレベルまで徐々に下げることによりミュートを行うレベルミュート回路とを含み、前記アナログ部は、アナログ部の出力端子を前記電源のオフ時の電圧レベルに固定するミュートを行うアナログミュート回路を含み、かつ、ミュート動作の際に、前記ゲインミュート回路、前記レベルミュート回路、前記アナログミュート回路の順で各ミュート動作を行わせ、その後に前記アナログ部への電源をオフにさせるミュート制御部を備えていることを特徴とするものである。
【００１７】
このように請求項５に記載の発明では、ゲインミュート回路が、入力されるデジタル信号に係数を乗算してその係数を徐々にゼロにすることによりミュートを行い、レベルミュート回路が、ゲインミュート回路からの出力を入力し、そのゼロが乗算されたデジタル信号のレベルを電源のオフ時の電圧レベルより下のレベルまで徐々に下げることによりミュートを行う。また、アナログミュート回路が、アナログ部の出力端子を電源のオフ時の電圧レベルに固定するミュートを行う。さらに、ミュート制御部が、ミュート動作の際に、ゲインミュート回路、レベルミュート回路、アナログミュート回路の順で各ミュート動作を行わせ、その後にアナログ部への電源をオフにさせる。
【００１８】
このため、この発明では、ミュート状態でアナログ部の電源をオフにしても、クリック音の発生を確実に防止できる上に、入力信号が変動してもその変動に伴うクリック音やノイズの発生を防止できる。
また、請求項６に記載の発明は、請求項５に記載の電子装置において、前記デジタル部は、前記ゲインミュート回路と前記レベルミュート回路との間に、前記デジタル信号のサンプリング周波数を高くして前記デジタル信号を補完するインタポレーションフィルタを備えていることを特徴とするものである。
【００１９】
このように請求項６に記載の発明では、ゲインミュート回路とレベルミュート回路との間に、インタポレーションフィルタを備え、サンプリングレートを上げてから、レベルミュート回路で出力レベルを変化させるようにしている。このため、信号のステップ幅が小さくなり、信号レベルを徐々に下げる際に、滑らかに変化してノイズの発生を抑制できる。なお、この発明は、オーバーサンプリングＤ／Ａ変換器に適用するのが好適である。
【００２０】
さらに、請求項７に記載の発明は、コード化されたデジタル信号の処理を行うデジタル部と、このデジタル部で処理されたデジタル信号をアナログ信号に変換するアナログ部とを備えた電子装置に入力されるデジタル信号のミュートを行う電子装置のミュート方法であって、ミュート動作の際には、前記デジタル部に入力されるデジタル信号に係数を乗算して前記係数を徐々にゼロにすることによりゲインミュートを行うステップと、ゲインミュートされたデジタル信号のレベルを前記電子装置の電源のオフ時の電圧レベルより下のレベルまで徐々に下げるステップと、前記アナログ部の出力端子を前記電源のオフ時の電圧レベルに固定するアナログミュートを行うステップと、前記アナログ部の電源をオフにするステップとからなり、ミュート動作を解除する際には、前記アナログ部の電源をオンにするステップと、前記アナログ部の出力端子を前記固定の電圧レベルから解除するステップと、デジタル信号のレベルを徐々に上げてレベルミュートを解除するステップと、デジタル信号に乗算する係数を徐々に上げてゲインミュートを解除するステップと、からなることを特徴とするものである。
【００２１】
このように請求項７に記載の発明による方法によれば、ミュート状態で電源アナログ部の電源をオフにしても、クリック音の発生を確実に防止できる上に、入力信号が変動してもその変動に伴うクリック音やノイズの発生を確実に防止できる。
【００２２】
【発明の実施の形態】
以下、本発明の実施形態について図面を参照して説明する。
本発明のミュート回路を電子装置であるオーバーサンプリング型Ｄ／Ａ変換器に適用した場合について、図１を参照して説明する。図１は、オーバーサンプリング型Ｄ／Ａ変換器の構成を示すブロック図である。
【００２３】
このＤ／Ａ変換器は、図１に示すように、デジタル信号を入力して所定の処理をするデジタル部１と、このデジタル部１から出力されるデジタル信号を入力してアナログ信号に変換するアナログ部２と、後述のようにミュート動作の制御を行うミュート制御部３と、デジタル部１やアナログ部２に電力を供給する電源４と、アナログ部２と電源４との接続を制御する電源供給制御部５とを少なくとも備えている。この電源４は、以下の例では接地電位Ｖｓｓを基準に電圧Ｖｄｄが出力されるものとする。
【００２４】
デジタル部１は、図１に示すように、ゲインミュート回路１１と、デジタルフィルタ１２と、レベルミュート回路１３と、サンプルホールド回路１４と、デルタシグマ変調回路１５とを少なくとも備えている。
また、アナログ部２は、図１に示すように、スイッチトキャパシタＤ／Ａ変換回路２１と、アナログ信号用のローパスフィルタ（ＬＰＦ）２２と、アナログミュート回路２３とを少なくとも備えている。
【００２５】
ミュート制御部３は、後述のように、ゲインミュート回路１１、レベルミュート回路１３、およびアナログミュート回路２３のミュート動作を制御するとともに、電源供給制御部５がアナログ部２との電源４との接続を行う際の指示を行うようになっている。
電源４は、デジタル部１やアナログ部２の各部に電力を供給するためのものである。電源供給制御部５は、ミュート制御部３からの指示に基づき、アナログ部２と電源４との接続を制御するようになっている。
【００２６】
ゲインミュート回路１１は、通常動作時に、入力されるデジタル信号をそのまま次段に通過させ、ミュート動作時に、そのデジタル信号に係数を乗算してその係数を徐々にゼロにすることによりミュートを行うようになっている。
ここで、ゲインミュート回路１１の入力されるデジタル信号は、例えば、サンプリング周波数Ｆｓが４８ＫＨｚで、２０ｂｉｔのデータである。
【００２７】
デジタルフィルタ１２は、ゲインミュート回路１１から出力されるデジタル信号のサンプリング周波数Ｆｓを８倍にして、そのデジタル信号を補完するインターポレーションである。
レベルミュート回路１３は、通常動作時に、入力されるデジタル信号をそのまま次段に通過させ、ミュート動作時に、そのデジタル信号のレベルを電源のオフ時の電圧レベルまで減算させるようになっている。
【００２８】
サンプルホールド回路１４は、デジタルフィルタ１３の出力をさらに８倍に持ち上げ、サンプリング周波数Ｆｓが６４倍のデジタル信号が出力されるようになっている。
デルタシグマ変調回路１５は、サンプルホールド回路１４からのデジタル信号を量子化するようになっている。スイッチトキャパシタＤ／Ａ変換回路２１は、デルタシグマ変調回路１５で量子化されたデジタル信号をアナログ信号に変換するようになっている。ここで、デルタシグマ変調回路１５で変換されたアナログ信号は、ノイズシェーピングにより高周波域に量子化ノイズがある。そのため、ローパスフィルタ２２は、その量子化ノイズをカットするようになっている。
【００２９】
アナログミュート回路２３は、アナログ部２の出力端子と接地電位との間に設けられたスイッチ２３１からなり、ミュート動作時に、その接点を閉じてアナログ部２の出力端子を接地電位Ｖｓｓに固定するようになっている。
次に、ゲインミュート回路１１、レベルミュート回路１３、およびローパスフィルタ２２の構成について、図２〜図４を参照して説明する。
【００３０】
ゲインミュート回路１１は、図２に示すように、乗算回路１１１とゲインミュート係数発生回路１１２とから構成されている。そして、ミュート動作時に、ゲインミュート係数発生回路１１２が所定の係数を発生し、乗算回路１１は、入力されるデジタル信号に対してその発生する係数を乗算し、その乗算した結果を出力するようになっている。
【００３１】
レベルミュート回路１３は、図３に示すように、加減算回路１３１とレベルミュート値発生回路１３２とから構成されている。そして、ミュート動作時に、レベルミュート値発生回路１３２が所定のレベルミュート値を発生し、加減算回路１３１は、入力されたデジタル信号に対してその発生するレベルミュート値を加算または減算するようになっている。
【００３２】
ローパスフィルタ２２は、図４に示すように、オペアンプ２２１、抵抗Ｒ１、Ｒ２、コンデンサＣ１などから構成され、その出力端子にアナログミュート回路２３のスイッチ２３１が接続されている。
次に、このような構成からなるこの実施形態にかかるＤ／Ａ変換器の動作の一例について、図面を参照して説明する。
【００３３】
まず、通常の動作の場合について説明する。この通常動作時には、ゲインミュート回路１１、レベルミュート回路１３はミュート動作を行わないので、両回路１１、１３では、入力されたデジタル信号がそのまま出力される。また、ゲインミュート回路２３のスイッチ２３１は、図１のようにその接点が開状態のままである。
【００３４】
通常動作時に、ゲインミュート回路１１にデジタル信号が入力されると、そのデジタル信号はゲインミュート回路１１からそのまま出力されてデジタルフィルタ１２に入力されて、サンプル周波数Ｆｓが８倍にインタポレーション（デジタル補完）される。このインタポレーションされた信号はレベルミュート回路１３に入力されると、そのまま出力されてサンプルホールド回路１４でサンプリング周波数Ｆｓがさらに８倍されて、サンプリング周波数Ｆｓが６４倍のデジタル信号が出力される。
【００３５】
サンプルホールド回路１４から出力されるデジタル信号は、デルタシグマ変調回路１５で量子化される。この量子化されたデジタル信号は、スイッチトキャパシタＤ／Ａ変換回路２１でアナログ信号に変換される。アナログ信号に含まれる量子化ノイズは、ローパスフィルタ２２でカットされ、所望のアナログ信号が出力される。
【００３６】
次に、ミュート動作時の各部の動作について、図５および図６を参照して説明する。
図５に示すように、時刻ｔ１になる以前には、上述した通常動作となり、いま、フルスケールの正弦波が出力される場合には（例えば０．６Ｖを中心に±０．５Ｖの出力）、図５（Ａ）に示すように、レベルミュート回路１３の出力は、例えば＋３４０９０２〜−３４０９０３のデジタル値（１６ｂｉｔ相当のデータ）が発生している。なお、図５（Ａ）は、デジタル値で表すべきであるが、説明を容易とするためにアナログ波形としている。
【００３７】
時刻ｔ１において、ミュート制御部３から出力されるミュート信号が「Ｌ」レベルから「Ｈ」レベルに変化すると、ミュート動作を開始し、まず時刻ｔ１〜時刻ｔ２の期間Ｔ１では、ゲインミュート回路１１によるゲインミュートが行われる。すなわち、ゲインミュート回路１１は、その期間Ｔ１（例えば２５ｍＳｅｃ）に、入力されているフルスケールの正弦波に対応するデジタル値（振幅レベル）を徐々に落とし、デジタルコードを「０」とする（図５（Ａ）参照）。
【００３８】
さらに具体的に説明すると、図２に示すように、ゲインミュート係数発生回路１１２が、ゲインミュート係数を発生するとともに、この発生するゲインミュート係数を徐々に小さくしていき、最終的には「０」とする。乗算回路１１１は、入力されるデジタル信号のコードとそのゲインミュート係数との乗算を行い、そのデジタルコードは最終的に「０」となる。
【００３９】
次に、時刻ｔ２になると、レベルミュート回路１３がレベルミュート動作を開始し、このレベルミュート動作は、時刻ｔ２から時刻ｔ３の期間Ｔ２（例えば５００ｍＳｅｃ）に行われる。すなわち、レベルミュート回路１３は、その期間Ｔ２に、入力されるデジタル信号のレベルを電源のオフ時の電圧レベルよりも下のレベルまで減算していく。
【００４０】
さらに具体的に説明すると、図３に示すように、レベルミュート値発生回路１３２がレベルミュート値を発生し、このレベルミュート値が加減算回路１３１に入力される。加減算回路１３１は、入力されるデジタル信号のデータ「０」からそのレベルミュート値を減算していき（この減算値は徐々に大きくなっていく）、図５（Ｂ）に示すように、例えばその出力データの値は最終的に「−４８０５６０」となる。この最終値は、例えばアナログ値の−０．１Ｖに相当する。
【００４１】
次に、時刻ｔ３に達すると、アナログミュート回路２３のスイッチ２３１の接点が閉じられてアナログミュート動作状態になり、これによりアナログ部２の出力端子は接地電位Ｖｓｓになる。スイッチ２３１の接点が閉じるときには、アナログ部２の出力は接地電位Ｖｓｓにあるので、アナログ部２の後段に接続されるスピーカからはノイズ（雑音）が発生しない。
【００４２】
アナログミュート回路２３のスイッチ２３１の接点が閉じた後、ミュート制御部３の指示に基づき、電源供給制御部５は、電源４とアナログ部２との電気的な接続を解除し、アナログ部２の電源をオフにする。このとき、アナログ部２の出力は接地電位Ｖｓｓに固定されているので、アナログ部２の後段に接続されるスピーカからはクリック音（異音）が発生しない。
【００４３】
以上述べたミュート動作時の手順をまとめると、図６に示すフローチャートのステップＳ１〜Ｓ４のようになる。
次に、ミュートの解除動作について、図５および図７を参照して説明する。
時刻ｔ４において、ミュート制御部３から出力されるミュート信号が「Ｈ」レベルから「Ｌ」レベルに変化すると、ミュートの解除動作を開始する。まず、ミュート制御部３の指示に基づき、電源供給制御部５は、電源４とアナログ部２との電気的な接続を行い、アナログ部２の電源をオフからオンにする。アナログ部２の電源のオンの後、アナログミュート回路２３のスイッチ２３１の接点を開き、アナログミュートを解除状態にする。
【００４４】
次に、そのアナログミュートが解除されると、時刻ｔ４から時刻ｔ５の期間Ｔ３では、レベルミュート回路１３がデジタル信号のレベルを徐々に上げて、レベルミュートの解除動作を行う。すなわち、レベルミュート値発生回路１３２がレベルミュート値を発生し、このレベルミュート値が加減算回路１３１に入力される。加減算回路１３１は、入力されるデジタル信号のデータ「０」にレベルミュート値を加算していく（この加算値は徐々に小さくなっていく）。このため、図５（Ｂ）に示すように、加減算回路１３１の出力データの値は、「−４５０５６０」から徐々に増加していき最終的に「０」となる。
【００４５】
次に、そのレベルミュートが解除されると、時刻ｔ５から時刻ｔ６の期間Ｔ４では、ゲインミュート回路１１がデジタル信号に乗算する係数を徐々に上げていきゲインミュートを解除する。すなわち、ゲインミュート係数発生回路１１２が、係数を徐々に大きくしていき、この係数が乗算回路１１１に入力される。乗算回路１１１は、入力されるデジタル信号のコードとその係数との乗算を行い、そのデジタルコードは最終的に所定値になる。そして、時刻ｔ６に達すると、ミュートの解除動作が完了して、通常の動作に復帰する。
【００４６】
以上述べたミュートの解除動作の手順をまとめると、図７に示すフローチャトのステップＳ１１〜Ｓ１４のようになる。
以上説明したように、この実施形態にかかるＤ／Ａ変換器では、デジタル信号のコードの範囲を通常動作時よりも広くとっておき、ミュート動作時には、デジタル信号のコードを電源のオフ時の電圧レベルより下のコードまで下げるようしている。すなわち、アナログ部２は、通常動作時には、例えば０．６Ｖを中心に±０．５Ｖを出力している。一方、ミュート動作時には、デジタル信号のコードは通常動作時よりも大きくし、デジタル信号の出力レベルを０Ｖまたはそれ以下（例えば−０．１Ｖ）のレベルに下げるようにしている。このため、ミュート時に出力を接地電位に固定できるので、ミュート時に電源をオフにしてもクリック音の発生を確実に防止できる上に、入力信号が変動してもその変動に伴うクリック音やノイズの発生を確実に防止できる。
【００４７】
また、この実施形態にかかるＤ／Ａ変換器では、デジタル部１がミュート回路としてゲインミュート回路１１とレベルミュート回路１３とを含み、ゲインミュート回路１１とレベルミュート回路１３との間にインタポレーションを行うデジタルフィルタ１２を設け、デジタル信号のサンプリング周波数を上げてからレベルミュート回路１３でデジタル信号のレベルを低下させるようにした。このため、デイジタル信号のステップ幅が小さくなり、そのレベルが滑らかに低下することができる。
【００４８】
なお、上記の説明は電源供給をオフする例で示したが、パワーダウンモードにする場合も同様に動作できる。
【００４９】
【発明の効果】
以上述べたように、本発明のミュート回路によれば、ミュート時の出力を接地電位に固定できるので、ミュート時に電源をオフにしてもクリック音の発生を防止できる上に、入力信号が変動してもその変動に伴なうクリック音やノイズの発生を防止できる。
【００５０】
また、本発明のミュート回路において、ゲインミュート回路とレベルミュート回路との間に、インタポレーションフィルタを備える場合には、デジタル信号のステップ幅が小さくなり、信号レベルを徐々に下げる際に、滑らかに変化してノイズの発生を抑制できる。
本発明の電子装置によれば、ミュート時の出力を接地電位に固定できるので、ミュート状態でアナログ部の電源をオフしてもクリック音の発生を確実に防止できる上に、入力信号が変動してもその変動に伴うクリック音やノイズの発生を防止できる。
【００５１】
また、本発明の電子装置において、ゲインミュート回路とレベルミュート回路との間に、インタポレーションフィルタを備える場合には、信号のステップ幅が小さくなり、信号レベルを徐々に下げる際に、滑らかに変化してノイズの発生を抑制できる。
本発明のミュート方法によれば、ミュート状態で電源アナログ部の電源をオフにしても、クリック音の発生を確実に防止できる上に、入力信号が変動してもその変動に伴うクリック音やノイズの発生を確実に防止できる。
【図面の簡単な説明】
【図１】本発明のミュート回路の実施形態が適用されるオーバサンプリング型Ｄ／Ａ変換器のブロック図である。
【図２】ゲインミュート回路の構成を示すブロック図である。
【図３】レベルミュート回路の構成を示すブロック図である。
【図４】ローパスフィルタとアナログミュート回路の構成を示す回路図である。
【図５】ゲインミュート回路やレベルミュート回路の動作を説明する波形図である。
【図６】ミュート動作の一例を示すフローチャートである。
【図７】ミュート解除動作の一例を示すフローチャートである。
【符号の説明】
１  デジタル部
２  アナログ部
３  ミュート制御部
４  電源
５  電源供給制御部
１１  ゲインミュート回路
１２  デジタルフィルタ
１３  レベルミュート回路
１４  サンプルホールド回路
１５  デルタシグマ変調回路
２１  スイッチトキャパシタＤ／Ａ変換回路
２２  ローパスフィルタ
２３  アナログミュート回路
１１１  乗算回路
１１２  ゲインミュート係数発生回路
１３１  加減算回路
１３２  レベルミュート値発生回路
【図１】
0004368477.tif 000002
【図２】
0004368477.tif 000003
【図３】
0004368477.tif 000004
【図４】
0004368477.tif 000005
【図５】
0004368477.tif 000006
【図６】
0004368477.tif 000007
【図７】
0004368477.tif 000008